(57)【要約】【課題】主照明用光源および補助照明用光源を備えた照明装置において、天井面に届く光の量を従来のものと比べ多くするとともに、補助照明領域の明暗を明確にした照明装置を提供する。【解決手段】ＬＥＤ照明装置１０は、照明器具本体１１と、照明器具本体１１の下面側に配置された主照明用光源１２と、透光カバー１３と、照明器具本体１１の側面部よりも外側に位置する外周部１４を有し、外周部１４に補助照明用光源収容部１５を設けた透光性の天板１６と、補助照明用光源収容部１５に収容される補助照明用光源１７と、補助照明用光源１７間に配置された導光板１８と、補助照明用光源収容部１５内にもれた光を遮光する遮光部材１９とを備える。【選択図】  図１
2014225337.tif 000002
【特許請求の範囲】
【請求項１】
照明器具本体と、
前記照明器具本体の下面側に配置された主照明用光源と、
前記主照明用光源を覆う透光カバーと、
前記照明器具本体の少なくとも上面側周辺部を覆い、前記照明器具本体の側面部よりも外側に位置する外周部を有し、前記外周部に複数の補助照明用光源収容部を設けた透光性の天板と、
前記複数の補助照明用光源収容部にそれぞれ収容される補助照明用光源と、
前記補助照明用光源からの光を端面より導入し上面および下面より出射する、前記天板の前記外周部に沿って前記補助照明用光源間に配置された導光板と、
前記補助照明用光源より前記補助照明用光源収容部内にもれた光を遮光する、前記補助照明用光源収容部に設けられた遮光部材と、
を備えたことを特徴とする照明装置。
【請求項２】
前記遮光部材は、前記補助照明用光源を保持する遮光ケースと、前記補助照明用光源収容部を覆う遮光カバーとを含むことを特徴とする請求項１に記載の照明装置。
【請求項３】
前記照明器具本体が設置されている空間の明るさを検知する照度センサが前記複数の補助照明用光源収容部の１つに収容され、前記遮光部材は前記照度センサの受光部に対応する位置に開口部を備えたことを特徴とする請求項１または２に記載の照明装置。
【請求項４】
前記主照明用光源および前記補助照明用光源を点灯制御するためのリモコン信号を受信するリモコン信号受信部が前記複数の補助照明用光源収容部の１つに収容され、前記遮光部材は前記信号受信部に対応する位置に開口部を備えたことを特徴とする請求項１または２に記載の照明装置。
【請求項５】
前記補助照明用光源は、赤色、緑色および青色の３種の発光ダイオードを含むことを特徴とする請求項１〜４のいずれか１項に記載の照明装置。
【発明の詳細な説明】
【技術分野】
【０００１】
本発明は照明装置に係り、特に主照明用光源および補助照明用光源を備えた照明装置に関するものである。
【背景技術】
【０００２】
従来から、照明装置として、一般照明用光源としての主照明用光源のほかに、保安のため、あるいは装飾性や演出効果等を得るために補助的に付加される補助照明用光源を備えたものが知られている。例えば、引用文献１には、器具本体の下面側に配置した主照明以外に、器具本体の外周部に沿って間接光用光源収容部を介して配置された導光板に光を導入して間接光を得る照明器具が提案されている。この照明器具は、導光板の上面側に配置された光反射板により導光板上面から漏れた光を反射し導光板に戻して良好な間接光を得るように構成したものである。
【先行技術文献】
【特許文献】
【０００３】
【特許文献１】特開２００９−２１２００号公報
【発明の概要】
【発明が解決しようとする課題】
【０００４】
ところで、天井面に設置される照明装置において、室内を明るく見せるため下方だけでなく天井面に対しても光で照らすものが望まれている。従来の照明装置は、いわゆる天板で形成される光反射板が非透光性であり、天井面に届く光の量は大きく制限されている。
【０００５】
本発明の目的は、主照明用光源および補助照明用光源を備えた照明装置において、天井面に届く光の量を従来のものと比べ多くするとともに、補助照明領域の明暗を明確にした照明装置を提供することにある。
【課題を解決するための手段】
【０００６】
本発明は、上記目的を達成するため以下のような照明装置を提供する。
（１）照明器具本体と、
前記照明器具本体の下面側に配置された主照明用光源と、
前記主照明用光源を覆う透光カバーと、
前記照明器具本体の少なくとも上面側周辺部を覆い、前記照明器具本体の側面部よりも外側に位置する外周部を有し、前記外周部に複数の補助照明用光源収容部を設けた透光性の天板と、
前記複数の補助照明用光源収容部にそれぞれ収容される補助照明用光源と、
前記補助照明用光源からの光を端面より導入し上面および下面より出射する、前記天板の前記外周部に沿って前記補助照明用光源間に配置された導光板と、
前記補助照明用光源より前記補助照明用光源収容部内にもれた光を遮光する、前記補助照明用光源収容部に設けられた遮光部材と、
を備えたことを特徴とする照明装置。
（２）前記遮光部材は、前記補助照明用光源を保持する遮光ケースと、前記補助照明用光源収容部を覆う遮光カバーとを含むことを特徴とする上記（１）に記載の照明装置。
（３）前記照明器具本体が設置されている空間の明るさを検知する照度センサが前記複数の補助照明用光源収容部の１つに収容され、前記遮光部材は前記照度センサの受光部に対応する位置に開口部を備えたことを特徴とする上記（１）または（２）に記載の照明装置。
（４）前記主照明用光源および前記補助照明用光源を点灯制御するためのリモコン信号を受信するリモコン信号受信部が前記複数の補助照明用光源収容部の１つに収容され、前記遮光部材は前記信号受信部に対応する位置に開口部を備えたことを特徴とする上記（１）または（２）に記載の照明装置。
（５）前記補助照明用光源は、赤色、緑色および青色の３種の発光ダイオードを含むことを特徴とする上記（１）〜（４）のいずれか１項に記載の照明装置。
【発明の効果】
【０００７】
請求項１に係る発明によれば、主照明用光源および補助照明用光源を備えた照明装置において、天井面に届く光の量を従来のものと比べ多くするとともに、補助照明領域の明暗を明確にした照明装置を得ることができる。
請求項２に係る発明によれば、簡単な構造で補助照明領域の明暗を明確にすることができる。
請求項３に係る発明によれば、照度センサを配置するための専用収容部を省くことができる。
請求項４に係る発明によれば、リモコン信号受信部を従来における透光カバーの内側から感度向上可能な外側に専用収容部を設けることなく配置することができる。
請求項５に係る発明によれば、補助照明の色に関し選択の自由度を増すことができる。
【図面の簡単な説明】
【０００８】
【図１】本発明に係る照明装置の一実施形態を示すものであり、（ａ）は斜視図、（ｂ）は平面図、（ｃ）は（ｂ）のＡ−Ａ断面図である。
【図２Ａ】図１のＬＥＤ照明装置の分解斜視図である。
【図２Ｂ】ＬＥＤ基板１２１にＬＥＤカバー１２２を取り付けた状態の一例を示す部分図である。
【図３】天板１６と遮光ケース３１と補助照明用光源１７との関係を説明するための図であり、（ａ）は天板１６の下面側（床側）を上向きにした一例を示す斜視図、（ｂ）は遮光ケース３１の一例を示す斜視図、（ｃ）は補助照明用光源１７の一例を示す斜視図である。
【図４】補助照明用光源収容部１５周辺の拡大図であり、（ａ）は斜視図、（ｂ）は平面図である。
【図５】図１のＢ−Ｂ断面部の拡大図であり、（ａ）は斜視図、（ｂ）は断面図である。
【図６】図５（ａ）のＣ−Ｃ断面部の拡大図であり、（ａ）は透光カバー１３および遮光カバー３２があるときの斜視図、（ｂ）は透光カバー１３および遮光カバー３２を外したときの斜視図である。
【図７】図５（ａ）のＤ−Ｄ断面部の拡大図であり、（ａ）は透光カバー１３および遮光カバー３２があるときの斜視図、（ｂ）は透光カバー１３および遮光カバー３２を外したときの斜視図である。
【図８】照明装置１０の点灯制御について説明するための図であり、（ａ）は照明装置１０の点灯状態の種類を示す図、（ｂ）は照明装置１０に点灯制御用の信号を送信するリモコンの点灯制御ボタンを示す図である。
【図９】主照明に対応する補助照明の生成方法の一例を示す図である。
【発明を実施するための形態】
【０００９】
図１は本発明に係る照明装置の一実施形態を示すものであり、（ａ）は斜視図、（ｂ）は平面図、（ｃ）は（ｂ）のＡ−Ａ断面図である。本例では以下、主照明用光源として発光ダイオード（ＬＥＤ）を用いたＬＥＤ照明装置として説明するが、主照明用光源はＬＥＤに限定されるものではない。また、本例のＬＥＤ照明装置は略円形状としたが、形状はこれに限定されるものではない。
【００１０】
ＬＥＤ照明装置は、例えばＬＥＤシーリングライトとして、家屋の天井面に設けられる引掛ローゼットや引掛シーリングなどの屋内配線器具（不図示）に係合する取付アダプタ（不図示）を介することによって外部電源に接続されると共に、天井面の所定位置に固定されて利用に供される。なお、以下の説明において、特に断らない限り、照明装置が天井面に取り付けられた状態を基準として、天井側を「上面側」と呼び、その反対側（床側）を「下面側」と呼ぶ。
【００１１】
図１（ａ）〜（ｃ）に示すように、ＬＥＤ照明装置１０は、略円形状の照明器具本体１１と、照明器具本体１１の下面側に配置されたＬＥＤを用いた主照明用光源１２と、主照明用光源１２を覆う略円形状の透光カバー１３と、照明器具本体１１の少なくとも上面側周辺部を覆い、照明器具本体１１の側面部よりも外側に位置する外周部１４を有し、外周部１４に複数の補助照明用光源収容部１５を設けた透光性の天板１６と、複数の補助照明用光源収容部１５にそれぞれ収容される補助照明用光源１７と、補助照明用光源１７からの光を端面より導入し上面および下面より出射する、補助照明用光源１７間に配置された円弧状の複数の導光板１８と、補助照明用光源１７より補助照明用光源収容部１５内にもれた光を遮光する、補助照明用光源収容部１５に設けられた遮光部材１９とを備える。
【００１２】
本例では、３つの補助照明用光源収容部１５にそれぞれ、空間の明るさを検知する照度センサ２０と、照度センサ２０の動作時に点灯する照度センサ動作表示灯２１と、主照明用光源および補助照明用光源を点灯制御するリモコン信号を受信するリモコン信号受信部２２とが、それぞれ対応する遮光部材１９に形成された開口部の位置に置かれている。
【００１３】
図２Ａは、図１のＬＥＤ照明装置の分解斜視図である。図示のように、ＬＥＤ照明装置１０は、天井側に近い部材から、略円形状の天板１６と、ＬＥＤを用いた補助照明用光源１７間に配置された円弧状の複数の導光板１８と、略円形状の本体ベース１１１、絶縁板１１２、電源基板１１３、制御基板１１４および放熱板１１５を含む照明器具本体１１と、主照明用ＬＥＤ基板１２１およびＬＥＤカバー１２２を含む主照明用光源１２と、透光カバー１３とを備えて構成されている。
【００１４】
照明器具本体１１において、本体ベース１１１は、例えば金属板などを略円形状に加工成形した部品である。本体ベース１１１の中央には、略円形状の孔である器具取付部１１６が設けられている。器具取付部１１６には、不図示の取付アダプタが引掛け部を介して係合固定される。この取付アダプタは、天井側の屋内配線器具に係合固定される。これにより、本体ベース１１１を含むＬＥＤ照明装置１０は、取付アダプタ、器具取付部１１６および屋内配線器具をそれぞれ介して、天井面の所定位置に固定されるようになっている。
【００１５】
器具取付部１１６の近傍には、不図示の給電接続部が設けられている。給電接続部は、不図示の電線を介して、取付アダプタと電源基板１１３との間を電気的に接続している。これにより、ＬＥＤ照明装置１０は、屋内配線器具、取付アダプタ、および給電接続部をそれぞれ介して給電を受けるようになっている。
【００１６】
絶縁板１１２は、本体ベース１１１と、放熱板１１５との間に介在させて設けられている。本体ベース１１１および放熱板１１５は、いずれも金属製で、例えばプレコートメタル（ＰＣＭ）鋼板である。これに対し、絶縁板１１２は、電気絶縁性および難燃性を有する例えばポリプロピレン（ＰＰ）などの樹脂材料を用いて成形されている。
【００１７】
電源基板１１３および制御基板１１４は、絶縁板１１２の外縁に突設された基板係止部を介して絶縁板１１２に保持されている。絶縁板１１２は、本体ベース１１１にねじ止め固定されている。これにより、電源基板１１３および制御基板１１４は、本体ベース１１１および放熱板１１２によって囲まれた放熱空間内に、電気絶縁性を維持した状態で係止固定されている。
【００１８】
放熱板１１５は、電源基板１１３、制御基板１１４、および、複数のＬＥＤが実装されたＬＥＤ基板１２１を冷却する役割を果たす。これら基板は、その作動時に発熱する。一般に、半導体素子であるＬＥＤ１２３は、熱に弱い性質がある。また、使用時には低電圧の大電流を流して高輝度発光を行うため、この発光に伴う発熱によってＬＥＤ１２３それ自体や周囲の部材が劣化してゆく。かかる劣化を抑制して長寿命・高信頼性を実現するには、適切な放熱を行うことが求められる。
【００１９】
電源基板１１３、制御基板１１４、およびＬＥＤ基板１２１が発熱すると、本体ベース１１１および放熱板１１５によって囲まれた放熱空間の雰囲気温度は上昇する。このとき、放熱空間の容積が小さいと、そこに収容される空気の量は少なくなる。その結果、空気の接触による放熱効果が低下してしまうため、放熱空間の容積はできるだけ大きい方が好ましい。また、熱伝導性を良好に維持する観点から、放熱板１１５は、略円錐台形状で、継ぎ目なく一体に成形されることが好ましい。こうした放熱板１１５は、金属製の薄板をプレス成形することによって製造される。
【００２０】
主照明用光源１２において、ＬＥＤ基板１２１は、それぞれが共通の略扇形状の４枚の基板を含んで構成される。これら４枚の基板は、放熱板１１５の所定位置に取り付けられた状態において、全体として略ドーナツ形状を形成するようになっている。
【００２１】
ＬＥＤ基板１２１には、複数のＬＥＤ１２３が半田付けにより実装されている。これらのＬＥＤ１２３は、作動時に光を放射すると共に発熱し、それら自体の温度が上昇する。ＬＥＤ１２３は、温度が高くなるにしたがって、その発光効率が低下してゆく。また、寿命も短くなってゆく。このため、温度上昇に見合った適切な放熱手段を別途設ける必要がある。
【００２２】
ＬＥＤカバー１２２は、複数のＬＥＤ１２３より発せれた光束を下面側（床側）へ導く機能、複数のＬＥＤ１２３に係る給電線への接触を物理的に妨げる機能、および、ＬＥＤ基板１２１を放熱板２１に対して密着させるように押し付ける機能を有している。
【００２３】
図２Ｂは、ＬＥＤ基板１２１にＬＥＤカバー１２２を取り付けた状態の一例を示す部分図である。図示のように、複数のＬＥＤ１２３は、対応する複数のドーム形状部１２４を介して光を出射するように構成されている。本例では、一対のＬＥＤ１２３の組を、ひとつのドーム形状部１２４内に収容しているが、ドーム形状部１２４内に収容されるＬＥＤの数はこれに限定されない。一対のＬＥＤ１２３の組のうち、例えば、一方は白色系統の光束を放射する白色系統ＬＥＤであり、他方は暖色系統の光束を放射する暖色系統ＬＥＤである。これらのＬＥＤ１２３としては、例えば、青色の光束を放射する青色ＬＥＤと黄色の蛍光体とを組み合わせることによって、青色発光と黄色発光とが合成されて白色光や暖色光（例えばオレンジ色など）を放射するものなどを適宜採用すればよい。
【００２４】
図２Ａに戻って説明すると、ＬＥＤカバー１２２は、例えばポリカーボネート（ＰＣ）やアクリル（ＰＭＭＡ）、ポリスチレン（ＰＳ）などの、透光性および電気絶縁性を有する樹脂を用いて一体成形される。この樹脂を用いた一体成形と、各ＬＥＤ１２３からの光をそれぞれ通過させる複数のドーム形状部１２４とが相まって、ＬＥＤカバー１２２の剛性を確保すると共に、放熱板１１５に対するＬＥＤ基板１２１の密着性を向上するようにしている。
【００２５】
放熱板１１５とＬＥＤカバー１２２との間は、ＬＥＤ基板１２１を介在させて放熱板１１５に対してＬＥＤカバー１２２をねじ止め固定する構成を採用している。これにより、放熱板１１５に対するＬＥＤ基板１２１の密着性が高くなり、放熱性を向上することができる。このため、発光面の密度が均一で、かつ、ＬＥＤ１２３の発光効率に優れたＬＥＤ照明装置１０を実現することができる。さらに、ＬＥＤカバー１２２に対する適正な位置にＬＥＤ１２３の配置を矯正すると共に、ＬＥＤ基板１２１の反りや変形を軽減するといった効果もある。
【００２６】
透光カバー１３は、放熱板１１５の裾野部に固定された取付具によって、吊り下げ状態で係合保持される。具体的には、例えば、透光カバー１３を周方向反時計回りに回転させることによって、透光カバー１３に突設した図示しない係合部が外れるようになっている。透光カバー１３は、例えばアクリル（ＰＭＭＡ）などの透光性樹脂を用いて一体成形される。
【００２７】
天板１６は、照明器具本体１１の少なくとも上面側周辺部を覆い照明器具本体１１の側面部よりも外側に位置する外周部１４を有し、外周部１４に複数の補助照明用光源収容部１５を設けたものである。本例では、補助照明用光源収容部１５の数は３つであるが、２つでも３つ以上でもよい。補助照明用光源収容部１５の数は、１つでも原理的には可能であるが、導光板１８をほぼ均一に発光させるためには２つ以上が好ましい。天板１６は、光源からの光を天井側にも照らすようにするため、例えばポリカーボネート（ＰＣ）やポリスチレン（ＰＳ）などの透光性樹脂を用いて一体成形される。また、導光板１８は、長手方向に沿ってほぼ均一に発光するように、その上面、下面または上下両面に、光が導入される端面から離れるに従って粗から密に配置された乱反射機構、例えばドットやストライプ等の不図示のパターンを備えることができる。ここで、粗から密とは、単位面積当たりの乱反射機構の数を少数から徐々に多数にする場合のほか、乱反射機構の大きさを小から徐々に大にする場合も含む。ドットやストライプ等の乱反射機構は、例えばシルク印刷やスクリーン印刷等により形成することができる。導光板１８は、例えばポリスチレン（ＰＳ）などの透光性樹脂を用いて一体成形される。
【００２８】
補助照明用光源１７は、補助照明用光源収容部１５にそれぞれ収容される。円弧状の複数の導光板１８は、天板１１の外周部１４に沿って補助照明用光源１７間に配置される。導光板１８は、そのほぼ中央部において押え部材２９により天板の外周部１４に押え付けられている。補助照明用光源収容部１５には、補助照明用光源１７より補助照明用光源収容部１５内にもれた光を遮光する遮光部材１９が設けられる。遮光部材１９は、本例では、補助照明用光源１７を保持する遮光ケース３１と、補助照明用光源収容部１５を覆う遮光カバー３２とを含む。
【００２９】
各遮光カバー３２には、それぞれ開口部が設けられており、それに対応する補助照明用光源収容部１５内の補助照明用光源１７の回路基板には、それぞれ不図示の照度センサ２０、照度センサ動作表示灯２１、およびリモコン信号受信部２２が設けられる。照度センサ２０およびリモコン信号受信部２２は、それぞれ透明シート２５を介して、かつ、補助照明用光源収容部１５内の光を遮光するための筒状のインナーケース２６を通して、対応する遮光カバー３２の開口部に向き合っている。
【００３０】
図３は、天板１６と遮光ケース３１と補助照明用光源１７との関係を説明するための図であり、（ａ）は天板１６の下面側（床側）を上向きにした一例を示す斜視図、（ｂ）は遮光ケース３１の一例を示す斜視図、（ｃ）は補助照明用光源１７の一例を示す斜視図である。
【００３１】
図３（ａ）に示すように、略円形状の天板１６の外周部１４には３つの補助照明用光源収容部１５が、それぞれ補助照明用光源１７を収容するため凹部として形成されている。本例では、補助照明用光源１７は後述のように遮光ケース３１を介して、補助照明用光源収容部１５に収容される。補助照明用光源収容部１５から天板１６の中央部に伸びる傾斜部には、補助照明用光源収容部１５を覆う遮光カバー３２の延長部を受ける受け部４５が形成されている。また、３つの補助照明用光源収容部１５間の天板１５の外周部１４には、円弧状の導光板１８を幅方向に支えることができる断面凹状の浅い溝４６が設けられている。溝４６の深さは、導光板１８の厚みとほぼ同等である。
【００３２】
遮光ケース３１は、補助照明用光源収容部１５の凹部に嵌め込むことができる外形を有し、図３（ｂ）に示すように、内部には２つの突起部４１，４２を有する。遮光ケース３１は、補助照明用光源１７より補助照明用光源収容部１５内にもれた光を遮光するため、例えば非透光性のＡＢＳ樹脂などを用いて一体成形される。
【００３３】
補助照明用光源１７は、図３（ｃ）に示すように、２つの開口部４３，４４を有する長方形状の回路基板３０と、回路基板３０の長手方向の両端部に配置したＬＥＤ３３−３８と、ＬＥＤ３３−３８と電気配線を介して接続されたＬＥＤ駆動部３９とを有する。ＬＥＤ駆動部３９は、不図示の電線により図２Ａに示す電源基板１１３および点灯制御基板１１４に接続される。ＬＥＤ３３−３８は、本図では回路基板３０の両端部にそれぞれ３つずつ配置されているが、その数はこれに限定されない。また、ＬＥＤ３３−３８はそれぞれ、赤色（Ｒ）、緑色（Ｇ）および青色（Ｂ）をそれぞれ発光する３種のＬＥＤを含むことができる。この場合、ＲＧＢの３種のＬＥＤの各出力を調整することにより、補助照明の色を種々変化させることができる。
【００３４】
また、本例では、回路基板３０のほぼ中央部に、照度センサ２０が配置されている。照度センサ２０は、不図示の電線により図２Ａに示す電源基板１１３および点灯制御基板１１４に接続される。別の補助照明用光源収容部１５には、それぞれ照度センサ動作表示灯２１およびリモコン信号受信部２２が回路基板３０に配置され、電源基板１１３および点灯制御基板１１４に接続される。これらは、１つの回路基板３０に、その２つまたは３つを配置することもできるが、本例では３つの補助照明用光源収容部１５に収容される回路基板３０に、それぞれ照度センサ２０、照度センサ動作表示灯２１およびリモコン信号受信部２２を配置している。
【００３５】
以下、天板１６への補助照明用光源１７および導光板１８の設置方法の一例について説明する。まず、天板１６の３つの補助照明用光源収容部１５にそれぞれの突起部４１，４２を上にして遮光ケース３１を嵌め込む。次に、補助照明用光源１７を構成する回路基板３０に形成された２つの開口部４３，４４をそれぞれ遮光ケース３１の２つの突起部４１，４２に通すことで、遮光ケース３１は回路基板３０を動かないように保持する。
【００３６】
図４は、補助照明用光源収容部１５周辺の拡大図であり、（ａ）は斜視図、（ｂ）は平面図である。図示のように、回路基板３０に照度センサ２０またはリモコン信号受信部２２が配置されている場合、照度センサ２０またはリモコン信号受信部２２には、透明シート２５を介して光を遮光するための筒状のインナーケース２６が設けられる。導光板１８は、天板の外周部１４の溝４６に沿って配置される。このとき、回路基板３０の両端面に設けられたＬＥＤ３３−３５、およびＬＥＤ３６−３８と対向する導光板１８の両端面との間の間隔を例えばそれぞれ１ｍｍに保つようにする。導光板１８は、不図示の押え部材２９により天板の外周部１４に押え付ける。その後、図２Ａに示す遮光カバー３２で補助照明用光源収容部１５を覆う。
【００３７】
図５は、図１のＢ−Ｂ断面部の拡大図であり、（ａ）は斜視図、（ｂ）は断面図である。図５（ａ）に示すように、補助照明用光源収容部１５は、遮光カバー３２で覆われている。遮光カバー３２のほぼ中央部の開口部５１は、補助照明用光源収容部１５内に設けられた照度センサ２０またはリモコン信号受信部２２に光または信号を通過させる役目をはたす。本例の開口部５１は略円形であるが、形状はこれに限定されない。
【００３８】
図５（ｂ）に示す矢印５５は、主照明用光源１２から透光カバー１３を介して天井側とは反対側（床側）に照射される主照明であり、一方、矢印５６は、補助照明用光源１７から導光板１８を介して天井側とは反対側（床側）に照射される補助照明である。また、矢印５７は、主照明用光源１２から主として透光カバー１３内を反射して透光性の天板１６を介して天井側に照射される光であり、一方、矢印５８は、補助照明用光源１７から導光板１８および透光性の天板の周辺部１４を介して天井側に照射される光である。これにより、天井面に届く光の量を従来のものと比べ多くすることができる。
【００３９】
図６は、図５（ａ）のＣ−Ｃ断面部の拡大図であり、（ａ）は透光カバー１３および遮光カバー３２があるときの斜視図、（ｂ）は透光カバー１３および遮光カバー３２を外したときの斜視図である。また、図７は、図５（ａ）のＤ−Ｄ断面部の拡大図であり、（ａ）は透光カバー１３および遮光カバー３２があるときの斜視図、（ｂ）は透光カバー１３および遮光カバー３２を外したときの斜視図である。両図に示すように、天板１６の外周部１４に設けられた補助照明用光源収容部１５内には、遮光ケース３１が配置されている。遮光ケース３１は、その突起部４１，４２を回路基板３０の開口部４３、４４を通すことで補助照明用光源１７を保持している。一方、補助照明用光源収容部１５の開口側上部は遮光カバー３２で覆われている。遮光カバー３２の延長部４８は天板１６の受け部４５に固定することができる。
【００４０】
このように、補助照明用光源１７を遮光ケース３１および遮光カバー３２で囲むことにより、透光性の天板の補助照明用光源収容部１５内にもれた光を遮光することができる。一方、補助照明用光源１７による補助照明は、導光板１８を介してそのまま出射される。これにより、照明装置を下面側（床側）から見たとき、天板の周辺部１４に配置された導光板１８は明るく、補助照明用光源収容部１５は暗くなり、補助照明領域の明暗を明確にすることができる。
【００４１】
また、遮光カバー３２のほぼ中央部の開口部５１には、筒状の遮光性のインナーケース２６の一端が対向して配置され、その他端は透明シート２５を介して不図示の照度センサ２０またはリモコン信号受信部２２に対向して配置される。これにより、補助照明用光源収容部１５内にもれた光が、照度センサ２０またはリモコン信号受信部２２に伝達されないようにしている。
【００４２】
以下、この主照明用光源１２と補助照明用光源１７とを備えた照明装置１０の点灯制御について説明する。
図８は、照明装置１０の点灯制御について説明するための図であり、（ａ）は照明装置１０の点灯状態の種類を示す図、（ｂ）は照明装置１０に点灯制御用の信号を送信するリモコンの点灯制御ボタンを示す図である。点灯制御装置は図示しないが、図２に示す制御基板１１４に搭載されている。
【００４３】
照明装置１０は、図８（ａ）に示すように、主照明消灯＋補助照明消灯、主照明点灯＋補助照明点灯、主照明（単体）点灯、および補助照明（単体）点灯の４種類の状態がある。リモコン８０は、図８（ｂ）に示すように、点灯状態を表示することができる表示部９０と、点灯制御用の各種ボタン８１−８８とを備える。まず、全灯ボタン８１を押すと、全灯の主照明点灯＋補助照明点灯となり、そして他の点灯状態であっても全灯の主照明点灯＋補助照明点灯に移行する。消灯ボタン８２を押すと、主照明消灯＋補助照明消灯に移行する。保安灯ボタン８３を押すと、補助照明（単体）点灯となり、そして他の点灯状態であっても補助照明（単体）点灯に移行する。
【００４４】
自動調光ボタン８４を押すと、主照明（単体）点灯となり自動調光される。自動調光は、空間の明るさを検知する上述の照度センサ２０からの信号に基づいて、あらかじめ設定した明るさを保つように主照明を制御するものである。例えば、外光が差し込まない夜などは１００％の明るさとし、曇りや雨天のときなどは約５０％の明るさとし、外光が十分な晴れのときなどは約１５％の明るさとし、明るさが十分なときは自動消灯する。
【００４５】
あかりＡ−Ｄ選択ボタン８５−８８は、生活シーンに応じたあかりをワンタッチで選ぶことができるボタンである。あかりＡ選択ボタン８５を押すと、主照明点灯＋補助照明点灯となり、主照明および補助照明とも暖かみのある白熱電球に近いあかりＡとなる。あかりＢ選択ボタン８６を押すと、主照明点灯＋補助照明点灯となり、主照明および補助照明とも食事やだんらんに適したあかりＢとなる。あかりＣ選択ボタン８７を押すと、主照明点灯＋補助照明点灯となり、主照明および補助照明とも読書や趣味などに適した白色のあかりＣとなる。あかりＤ選択ボタン８７を押すと、主照明点灯＋補助照明点灯となり、主照明および補助照明とも広く使われている蛍光灯に近いさわやかな白さのあかりＤとなる。
【００４６】
図９は、主照明に対応する補助照明の生成方法の一例を示す図である。本例は、補助照明用光源としてＲＧＢの３種のＬＥＤを用いたものである。図の横軸は主照明の色温度（Ｋ）、縦軸は補助照明用光源を構成するＲＧＢの３種のＬＥＤの出力である。まず、全灯の場合、主照明の色温度は約４２００Ｋであり、補助照明用光源はＲＧ用ＬＥＤを各１００％出力とし、Ｂ用ＬＥＤを約７５％出力とする。上述のあかりＡの場合、主照明の色温度は約２７００Ｋであり、補助照明用光源はＲ用ＬＥＤを１００％出力とし、Ｇ用ＬＥＤを約５０％出力とし、Ｂ用ＬＥＤを０％出力とする。上述のあかりＢの場合、主照明の色温度は約３０００Ｋであり、補助照明用光源はＲ用ＬＥＤを１００％出力とし、Ｇ用ＬＥＤを約７５％出力とし、Ｂ用ＬＥＤを約２５％出力とする。上述のあかりＣの場合、主照明の色温度は約５０００Ｋであり、補助照明用光源はＲ用ＬＥＤを約５０％出力とし、Ｇ用ＬＥＤを１００％出力とし、Ｂ用ＬＥＤを約７５％出力とする。上述のあかりＤの場合、主照明の色温度は約６５００Ｋであり、補助照明用光源はＲ用ＬＥＤを０％出力とし、Ｇ用ＬＥＤを約７５％出力とし、Ｂ用ＬＥＤを１００％出力とする。
【００４７】
なお、主照明用光源による照明は、上述のように、図２Ａおよび図２Ｂに示す複数のＬＥＤ１２３の発光色および蛍光体を選択し、その両者の組み合わせで所望の色温度を得るようにされている。別の実施の形態として、主照明用光源のＬＥＤ１２３も、それぞれＲＧＢの３種のＬＥＤを含むものとし、その３種のＬＥＤの出力を調整することで、上述の補助照明用光源と同様な色の照明光を得るようにしてもよい。
【符号の説明】
【００４８】
１０  ＬＥＤ照明装置
１１  照明器具本体
１２  主照明用光源
１３  透光カバー
１４  外周部
１５  補助照明用光源収容部
１６  天板
１７  補助照明用光源
１８  導光板
１９  遮光部材
【図１】
2014225337.tif 000003
【図２Ａ】
2014225337.tif 000004
【図２Ｂ】
2014225337.tif 000005
【図３】
2014225337.tif 000006
【図４】
2014225337.tif 000007
【図５】
2014225337.tif 000008
【図６】
2014225337.tif 000009
【図７】
2014225337.tif 000010
【図８】
2014225337.tif 000011
【図９】
2014225337.tif 000012